(57)【特許請求の範囲】
【請求項１】
パネルを縦横のフレームで取り囲み、横並びに連結可能なパーテーションであって、
前記パネルの幅方向の両端に、横断面形状が係合可能な凹凸とされた第１、第２の縦フレームを備え、
該第１、第２の縦フレームの間に掛け渡した横フレームを前記第１、第２の縦フレームに固定して、前記パネルを取り囲み、
横並びされた一方のパーテーションの前記第１縦フレームと他方のパーテーションの前記第２縦フレームとが前記凹凸により係合された状態で、前記第１縦フレームと前記第２縦フレームとをフレームの一方端でフレームキャップにより取り囲む
パーテーション。
【請求項２】
パネルを縦横のフレームで取り囲み、横並びに連結可能なパーテーションであって、
前記パネルの一方側に位置する第１縦フレームと、
前記パネルの他方側に位置する第２縦フレームと、
前記第１、第２の縦フレームの間に掛け渡して縦フレームに固定される横フレームと、
前記第１縦フレームの一方端に装着されるフレームキャップとを備え、
前記第１、第２の縦フレームは、前記横フレームの端面が当接する横フレーム当接座を備え、該横フレーム当接座と該当接座に当接した上下の前記横フレームとで前記パネルを縦横で取り囲み、
前記第２縦フレームは、前記横フレーム当接座の背面側に縦方向凸条を備え、
前記第１縦フレームは、連結対象となる他のパーテーションが有する前記第２縦フレームの前記横フレーム当接座の背面が当接する縦フレーム当接座を、前記横フレーム当接座の背面側に当該当接座に連結して備えると共に、前記縦フレーム当接座に、前記他のパーテーションが有する前記第２縦フレームの前記縦方向凸条が入り込む縦方向凹条を備え
前記フレームキャップは、前記第１縦フレームの前記縦フレーム当接座に前記他のパーテーションの前記第２縦フレームの前記横フレーム当接座が当接した状態で、前記第１縦フレームの前記縦フレーム当接座と前記第２縦フレームの前記横フレーム当接座とを取り囲んで装着される
パーテーション。
【請求項３】
請求項２に記載のパーテーションであって、
前記他のパーテーションが有する前記第１縦フレームの前記縦フレーム当接座に前記第２縦フレームの前記横フレーム当接座の背面が当接し、前記他のパーテーションが有する前記第１縦フレームの前記縦方向凹条に前記第２縦フレームの前記縦方向凸条が入り込んだ状態で、前記縦フレーム当接座と前記横フレーム当接座の背面の当接箇所の端部を起点にパーテーションがドアスイングして、前記第２縦フレームの前記縦方向凸条が前記縦方向凹条から抜け出るように、前記第２縦フレームは前記縦方向凸条の形状を規定している
パーテーション。
【請求項４】
請求項２または請求項３に記載のパーテーションであって、
前記第１縦フレームは、前記縦フレーム当接座と前記横フレーム当接座の連結箇所のフレーム側面に、Ｔ溝仕様の側面凹条を備え、フレーム下端側に、前記側面凹条に装着された平板状の雌ネジ穴プレートと該プレートの雌ネジに螺合するボルトとにより脚を固定して備え、該脚により自立する
パーテーション。
【請求項５】
前記側面凹条は、前記第２縦フレームの前記縦方向凸条の入り込みが可能な開口幅を有する請求項４に記載のパーテーション。
【発明の詳細な説明】
【技術分野】
【０００１】
本発明は、パネルを縦横のフレームで取り囲み、横並びに連結可能なパーテーションに関する。
【背景技術】
【０００２】
こうしたパーテーションは、例えば、工作機械と作業通路を区画したり、何らかの飛散物を遮蔽する衝立等として多用され、多くの場合、横並びに連結可能とされている（例えば、特許文献１等）。
【０００３】
【特許文献１】特開平９−６７８８５号公報
【特許文献２】特開２０００−２２２１４２号公報
【発明の開示】
【発明が解決しようとする課題】
【０００４】
これら特許文献で提案された手法にあっても、パーテーションを横並びに連結できるものの、連結に際して、左右のパーテーションへの連結金具の装着やフック係合用のレバー操作を必要とするため、より簡便な連結構造が求められるに到った。
【０００５】
本発明は、上記した課題を踏まえ、横並び連結が容易なパーテーションを提供することをその目的とする。
【課題を解決するための手段】
【０００６】
上記した目的の少なくとも一部を達成するために、本発明では、以下の構成を採用した。
【０００７】
[適用１：パーテーション]
パネルを縦横のフレームで取り囲み、横並びに連結可能なパーテーションであって、
前記パネルの幅方向の両端に、横断面形状が係合可能な凹凸とされた第１、第２の縦フレームを備え、
該第１、第２の縦フレームの間に掛け渡した横フレームを前記第１、第２の縦フレームに固定して、前記パネルを取り囲み、
横並びされた一方のパーテーションの前記第１縦フレームと他方のパーテーションの前記第２縦フレームとが前記凹凸により係合された状態で、前記第１縦フレームと前記第２縦フレームとをフレームの一方端でフレームキャップにより取り囲む
ことを要旨とする。
【０００８】
上記構成のパーテーションでは、パネル両端の第１縦フレームと第２縦フレームの両縦フレームと、この両縦フレームの間に掛け渡して固定された上下の横フレームとで、パネルを縦横で取り囲む。そして、パーテーションの横並び連結は次のようにしてなされる。
【０００９】
横並びされる二つのパーテーションの一方のパーテーションの第１縦フレームと、他方のパーテーションの第２縦フレームが並ぶよう、両パーテーションを近づけて付き合わせる。こうして付き合わせると、一方のパーテーションの第１縦フレームと他方のパーテーションの第２縦フレームとは、その横断面形状として一方の縦フレームが有する凹に他方の縦フレームが有する凸が係合する。その上で、フレーム一方端において、係合済みの第１縦フレームと第２縦フレームをその係合状態のままフレームキャップで取り囲むので、両パーテーションは横並びとなる。つまり、上記構成のパーテーションによれば、横並びにする両パーテーションを付き合わせることでの第１、第２の縦フレームの凹凸による係合とフレームキャップ装着とを経るだけで、容易にパーテーションを横並びにできる。パーテーションの枚数が増えても、容易に複数のパーテーションを横並びに並べることができる。
【００１０】
[適用２：パーテーション]
パネルを縦横のフレームで取り囲み、横並びに連結可能なパーテーションであって、
前記パネルの一方側に位置する第１縦フレームと、
前記パネルの他方側に位置する第２縦フレームと、
前記第１、第２の縦フレームの間に掛け渡して縦フレームに固定される横フレームと、
前記第１縦フレームの一方端に装着されるフレームキャップとを備え、
前記第１、第２の縦フレームは、前記横フレームの端面が当接する横フレーム当接座を備え、該横フレーム当接座と該当接座に当接した上下の前記横フレームとで前記パネルを縦横で取り囲み、
前記第２縦フレームは、前記横フレーム当接座の背面側に縦方向凸条を備え、
前記第１縦フレームは、連結対象となる他のパーテーションが有する前記第２縦フレームの前記横フレーム当接座の背面が当接する縦フレーム当接座を、前記横フレーム当接座の背面側に当該当接座に連結して備えると共に、前記縦フレーム当接座に、前記他のパーテーションが有する前記第２縦フレームの前記縦方向凸条が入り込む縦方向凹条を備え
前記フレームキャップは、前記第１縦フレームの前記縦フレーム当接座に前記他のパーテーションの前記第２縦フレームの前記横フレーム当接座が当接した状態で、前記第１縦フレームの前記縦フレーム当接座と前記第２縦フレームの前記横フレーム当接座とを取り囲んで装着される
ことを要旨とする。
【００１１】
上記構成のパーテーションであっても、パネル両端の第１縦フレームと第２縦フレームの両縦フレームと、この両縦フレームの間に掛け渡して固定された上下の横フレームとで、パネルを縦横で取り囲む。この場合、パネル両端では、パネルは両縦フレームが有する横フレーム当接座で取り囲まれる。そして、パーテーションの横並び連結は次のようにしてなされる。
【００１２】
横並びされる二つのパーテーションの一方のパーテーションの第１縦フレームと、他方のパーテーションの第２縦フレームが並ぶよう、両パーテーションを近づけて付き合わせる。こうして付き合わせると、一方のパーテーションの第１縦フレームが有する縦フレーム当接座に、他方のパーテーションの第２縦フレームが有する横フレーム当接座はその背面で当接すると共に、一方のパーテーションの第１縦フレームが有する縦方向凹条に、他方のパーテーションの第２縦フレームが有する縦方向凸条が入り込む。その上で、フレームキャップを装着すれば、このフレームキャップにより、一方のパーテーションの第１縦フレームにおける縦フレーム当接座に他方のパーテーションの第２縦フレームの横フレーム当接座を当接した状態で、一方のパーテーションの第１縦フレームと他方のパーテーションの第２縦フレームとが取り囲まれ、両パーテーションは横並びとなる。つまり、上記構成のパーテーションによれば、横並びにする両パーテーションを付き合わせて縦フレームの当接と縦方向凹条への縦方向凸条の入り込みとフレームキャップ装着とを経るだけで、容易にパーテーションを横並びにできる。パーテーションの枚数が増えても、容易に複数のパーテーションを横並びに並べることができる。
【００１３】
このパーテーションにおいて、横フレーム当接座の背面側に縦方向凸条を備えた第２縦フレームでは、縦方向凸条をその横断面形状において凸とすることになる。また、縦フレーム当接座を横フレーム当接座の背面側に連結して備えると共に、縦フレーム当接座に縦方向凸条が入り込む縦方向凹条を備えた第１縦フレームでは、縦方向凹条をその横断面形状において凹とすることになる。
【００１４】
上記したパーテーションは、次のような態様とすることができる。例えば、前記第２縦フレームが有する前記縦方向凸条の凸の程度を次のように規定することができる。つまり、前記他のパーテーションが有する前記第１縦フレームの前記縦フレーム当接座に前記第２縦フレームの前記横フレーム当接座の背面が当接し、前記他のパーテーションが有する前記第１縦フレームの前記縦方向凹条に前記第２縦フレームの前記縦方向凸条が入り込んだ状態で、前記縦フレーム当接座と前記横フレーム当接座の背面の当接箇所の端部を起点にパーテーションがドアスイングして、前記第２縦フレームの前記縦方向凸条が前記縦方向凹条から抜け出るようにする。こうすれば、横並びに一旦並べた両パーテーションの一方のパーテーションをドアスイングさせれば、両パーテーションを分離できる。この逆に、一方のパーテーションに対して他方のパーテーションを斜めにしておき、この斜めのパーテーションを縦フレーム当接座と横フレーム当接座の背面の当接箇所の端部を起点にドアスイングすれば、他方のパーテーションは一方のパーテーションと横並びとなった上で、一方のパーテーションが有する第１縦フレームの縦フレーム当接座に他方のパーテーションが有する第２縦フレームの横フレーム当接座がその背面で当接し、一方のパーテーションが有する第１縦フレームの縦方向凹条に他方のパーテーションが有する第２縦フレームの縦方向凸条が入り込む。つまりは、一方のパーテーションに対して斜め方向から他方のパーテーションを容易に横並びできるので、作業性が高まる。
【００１５】
この場合、パーテーションのドアスイングにより第２縦フレームの縦方向凸条が縦方向凹条から抜け出るようにするには、縦方向凸条の凸の形状や凸の程度を定めればよい。例えば、縦方向凸条を縦方向凹条の幅と合わせるに当たり、凸条の凸の程度を抑えたり、凸条の基部において凹条の幅に適合させて基部から先の形状を凹条の幅より狭くしたりすればよい。
【００１６】
また、前記第１縦フレームを、前記縦フレーム当接座と前記横フレーム当接座の連結箇所のフレーム側面に、Ｔ溝仕様の側面凹条を備えるものとし、第１縦フレームのフレーム下端側に、前記側面凹条に装着された平板状の雌ネジ穴プレートと該プレートの雌ネジに螺合するボルトとにより脚を固定して備え、該脚により自立するものとできる。こうすれば、横並びとされたそれぞれのパーテーションは、それぞれが有する第１縦フレームの脚にて自立しつつ、横に並んだパーテーションの第１縦フレームにても支えられて安定して自立する。この脚としては、種々の形態を取ることができ、縦フレームの側面と床面に接するＬ字状の脚の他、縦フレームの下端を取り囲むボックス型の脚等とすることができる。
【００１７】
そして、第１縦フレームのＴ溝仕様の側面凹条を、前記第２縦フレームの前記縦方向凸条の入り込みが可能な開口幅を有するものとすれば、パーテーションを直交状態にも容易に連結できる。
【発明を実施するための最良の形態】
【００１８】
以下、本発明の実施の形態を実施例に基づいて説明する。図１は本発明の実施例としてのパーテーションを複数用いて構成した安全柵１００の概略斜視図、図２は実施例のパーテーション１０を分解して示す説明図、図３は図２における３−３線での縦断面図、図４は図２における４−４線での横断面図、図５は図２における５−５線での横断面図である。
【００１９】
図１に示すように、安全柵１００は、複数のパーテーション１０を横並びした上でＬ字状をなし、それぞれのパーテーションは、アクリル等の透明樹脂を用いて窓として機能する上部パネル１１Ｕと下部パネル１１Ｄを区画して取り囲み、脚１２により自立している。なお、安全柵１００をパーテーション１０を横並びしただけの構成とすることもできる他、上部パネル１１Ｕと下部パネル１１Ｄの一方或いは両方を不透明とした態様のパーテーション１０や、上下のパネル一方或いは両方を樹脂以外のパネル材としたり金網としたりした態様のパーテーション１０、一枚のパネルを取り囲む態様のパーテーション１０等、種々の態様することもできる。安全柵１００におけるパーテーション１０のレイアウトについても種々の態様とすることができ、Ｌ字状のレイアウトの他、Ｔ字状のレイアウトや、一方が開口したコの字状のレイアウト、所定床面積を取り囲んだロの字状のレイアウト等とすることができる。パーテーション１０をロの字状にレイアウトする場合には、一つのパーテーション１０における上下パネルを、開閉ドアとドアを取り囲むドアフレームに代え、このドアフレームをその左右・上下で取り囲むようにすればよい。
【００２０】
図２〜図５に示すように、パーテーション１０は、上下の上部パネル１１Ｕと下部パネル１１Ｄを取り囲むべく、両パネルの一方側に位置する第１縦フレーム２０と、他方側に位置する第２縦フレーム４０と、この両縦フレームの間に掛け渡される横フレーム６０とを備える。横フレーム６０は、上部パネル１１Ｕの上端と、上下パネルの間と下部パネル１１Ｄの下端の３箇所に配設され、その両側において、雄ネジＳにて第１縦フレーム２０と第２縦フレーム４０に固定されている。
【００２１】
横フレーム６０は、アルミを用いた長尺の型押出成型品であり、その長さ寸法は、上記の両パネルの横方向寸法より若干短くされている。そして、この横フレーム６０は、図３に示すように、左右の側壁材６１と中央のコア部６２とを備え、コア部６２から４方に延びたブリッジ６３により側壁材６１を保持し、左右の側壁材６１の湾曲端部にて、スリット６４を形成している。このスリット６４は、上部パネル１１Ｕおよび下部パネル１１Ｄが支障なく入り込むように開口している。コア部６２には、開口した雌ネジ６５が形成されているので、この雌ネジ６５に図２の雄ネジＳをねじ込むことで、横フレーム６０は、その端面を当接させて第１縦フレーム２０と第２縦フレーム４０に固定される。
【００２２】
第１縦フレーム２０と第２縦フレーム４０とは、図４および図５に示すように、上部パネル１１Ｕと下部パネル１１Ｄおよび横フレーム６０を挟んで向かい合い、横フレーム６０と同様、アルミを用いた長尺の型押出成型品であり、その長さ寸法は、パーテーション１０の縦寸法とされている。第１縦フレーム２０は、第２縦フレーム４０と向かい合う側に横フレーム６０の端面が当接する横フレーム当接座２１を備え、その背面側には、縦フレーム当接座２２を備える。横フレーム当接座２１は、その中央のパネル挿入凹条２１ａを挟んで両側に延び、軽量化のため中空とされている。また、この横フレーム当接座２１の中央領域は、横フレーム６０がガタなく入り込んで当接する横フレーム当接凹条２１ｂとされている。パネル挿入凹条２１ａは、横フレーム６０におけるスリット６４と同様、上部パネル１１Ｕおよび下部パネル１１Ｄが支障なく入り込むように形成されている。
【００２３】
縦フレーム当接座２２にあっても、その中央の開口凹条２３とその奥側の有底部２４を挟んで両側に延び、軽量化のため中空とされている。開口凹条２３は、後述する第２縦フレーム４０の縦方向凸条４２、詳しくは凸条基部４２ａが所定のクリアランスを持って入り込むよう形成されている。このクリアランスは、パーテーション１０の縦横サイズ等に応じて定めれば良く、本実施例では、標準の縦横サイズを２１００Ｘ９３８ｍｍと１８００Ｘ９３８ｍｍとした場合に、この縦横サイズに対して約１ｍｍとした。つまり、この程度のクリアランスがあっても、後述するようにパーテーション１０を横並びさせた際、パーテーションのズレや傾きはパーテーションサイズから実用上問題とならないようにされている。なお、パーテーション１０の縦横サイズは、上記した標準サイズに限られるものではなく、パーテーション設置箇所等の要請から、種々の縦横サイズとすることができる。
【００２４】
そして、第１縦フレーム２０は、上記した横フレーム当接座２１と縦フレーム当接座２２とを有底部２４に繋がる連結板部２５で連結させ、両フレーム当接座間のフレーム側面、図４と図５の図示で言えばフレーム上下側面に、側面開口凹条３０と、その奥側の有底部３１とを備える。この場合、側面開口凹条３０の開口幅は、縦フレーム当接座２２の開口凹条２３と同一で、有底部３１の幅より狭くされている。よって、この側面開口凹条３０と有底部３１および連結板部２５とでＴ溝仕様の側面凹条３２が縦フレーム沿って形成されることになる。
【００２５】
第２縦フレーム４０は、第１縦フレーム２０と向かい合う側に横フレーム６０の端面が当接する横フレーム当接座４１を備え、その背面側の中央に縦方向凸条４２を備える。横フレーム当接座４１は、その中央のパネル挿入凹条２１ａを挟んで両側に延び、その背面の縦方向凸条４２の凸条基部４２ａの側と当接座端部の側とを平面の当接座面４３とする。また、横フレーム当接座４１にあっても、その中央領域を、横フレーム６０がガタなく入り込んで当接する横フレーム当接凹条４１ｂとする。パネル挿入凹条４１ａは、横フレーム６０におけるスリット６４と第１縦フレーム２０におけるパネル挿入凹条２１ａと同様、上部パネル１１Ｕおよび下部パネル１１Ｄが支障なく入り込むように形成されている。
【００２６】
第２縦フレーム４０の縦方向凸条４２は、凸条基部４２ａを既述したように所定のクリアランスを持って開口凹条２３に入り込む幅で形成した上で、当該基部に続けて、狭小陥没部４２ｂとエンド部４２ｃとを備える。凸条基部４２ａは、第１縦フレーム２０の開口凹条２３の厚みより低い凸の程度で形成され、狭小陥没部４２ｂは、凸条基部４２ａとエンド部４２ｃに挟まれ、この間の外周壁を陥没させている。エンド部４２ｃは、狭小陥没部４２ｂの陥没周壁に連続した周壁を形成し、縦方向凸条４２の底となる。
【００２７】
上記した構造材を有するパーテーション１０は、例えば、次のようにして組み立てられる。まず、第１縦フレーム２０と第２縦フレーム４０とを、それぞれの横フレーム当接座２１と横フレーム当接座４１とが向かい合うようにし、最下段の横フレーム６０を雄ネジＳにて両縦フレームに固定する。この固定の様子は、図５に示すとおりであり、第１縦フレーム２０の側では、縦フレーム当接座２２の側の有底部２４からパネル挿入凹条２１ａを貫通した雄ネジＳが横フレーム６０の雌ネジ６５にねじ込まれ、第２縦フレーム４０の側では、縦方向凸条４２のエンド部４２ｃからパネル挿入凹条４１ａを貫通した雄ネジＳが横フレーム６０の雌ネジ６５にねじ込まれる。これにより、最下段の横フレーム６０は、その両端面で第１縦フレーム２０の横フレーム当接座２１、詳しくはパネル挿入凹条２１ａの底部と、第２縦フレーム４０の横フレーム当接座４１、詳しくはパネル挿入凹条４１ａの底部に当接して固定される。
【００２８】
次いで、下部パネル１１Ｄを第１縦フレーム２０と第２縦フレーム４０の上方側からパネル挿入凹条２１ａとパネル挿入凹条４１ａに入り込ませて、最下段の横フレーム６０の側に降ろす。この場合、横フレーム６０の長さは下部パネル１１Ｄの横方向寸法より若干短くされているので、下部パネル１１Ｄは、その下端を横フレーム６０のスリット６４に入り込ませ、パネル両端では両縦フレームのパネル挿入凹条に入り込んで支えられる。その後、中央の横フレーム６０の雄ネジＳによる両縦フレームへの当接・固定、上部パネル１１Ｕの配設、最上段の横フレーム６０の雄ネジＳによる両縦フレームへの当接・固定を行うことで、パーテーション１０が完成する。
【００２９】
この他、次のようにすることもできる。まず、第１縦フレーム２０に上下段および中央の３本の横フレーム６０を雄ネジＳにて固定する。次いで、最下段と中央の横フレーム６０の間および中央と最上段の横フレーム６０の間に、横方向から下部パネル１１Ｄと上部パネル１１Ｕとを差し込む。このパネル差込の際、パネルはその上下の横フレーム６０のスリット６４により案内される。パネル差込後に、第２縦フレーム４０を第１縦フレーム２０に向かい合わせ、上下のパネル端を４１ａに入り込ませた状態で、第２縦フレーム４０を雄ネジＳにて上下段および中央の３本の横フレーム６０に当接・固定する。
【００３０】
こうして得られたパーテーション１０は、両縦フレームの横フレーム当接座２１および横フレーム当接座４１と、これら当接座に両端で当接した最上段、中央および最下段の横フレーム６０とで上部パネル１１Ｕと下部パネル１１Ｄを縦横で取り囲み、横並び連結される。
【００３１】
ここで、パーテーション１０の横並び連結について詳述する。図６は安全柵１００を構成するパーテーション１０の横並び連結箇所をその上部と下部について斜視にて示す説明図である。
【００３２】
図６に示すように、左右のパーテーション１０は、一方のパーテーション１０が有する第１縦フレーム２０に他方のパーテーション１０が有する第２縦フレーム４０を接合させることで連結される。そして、第１縦フレーム２０の下端両側面にはボルトＢにて脚１２が固定されている。この脚１２は、第１縦フレーム２０の側面と床面に接するＬ字状をなしていることから、この脚１２により、それぞれのパーテーション１０は自立し、縦フレーム上端では、接合した第１縦フレーム２０と第２縦フレーム４０とがフレームキャップ７０にて取り囲まれる。つまり、脚１２によるパーテーション１０の自立とフレームキャップ７０による縦フレーム接合状態の維持とにより、パーテーション１０を横並び連結した安全柵１００となる。こうした連結の様子を詳述する。図７は横並び連結状態におけるパーテーション１０の第１縦フレーム２０と第２縦フレーム４０の関係を断面視して示す説明図、図８はフレームキャップ７０の概略斜視図である。なお、脚１２とフレームキャップ７０は、ボルトＢを用いて縦フレームに固定されるが、この点については後述する。
【００３３】
図７に示すように、横並びのパーテーション１０のうち、一方のパーテーション１０における第１縦フレーム２０の縦フレーム当接座２２には、横並び連結の対象となる他方のパーテーション１０が有する第２縦フレーム４０の横フレーム当接座４１が当接する。この際、縦フレーム当接座２２には、他方のパーテーション１０における横フレーム当接座４１の当接座面４３が当接して、両縦フレームが接合する。また、こうした当接と共に、一方のパーテーション１０における第１縦フレーム２０の開口凹条２３には、他方のパーテーション１０が有する第２縦フレーム４０の縦方向凸条４２が入り込み、縦方向凸条４２の凸条基部４２ａが開口凹条２３の開口に位置する。
【００３４】
図８に示すように、フレームキャップ７０は、有底形状であり、向かい合う側面に切欠７１、７２を備え、他の側面にボルトＢ（図６参照）のネジ軸の貫通孔７３を備える。そして、このフレームキャップ７０の内周壁で形成される凹所形状は、図７に示すように、上記した当接状態にある第１縦フレーム２０と第２縦フレーム４０とがその外周壁の繋がりで形成する方形形状に倣った形状とされ、切欠７１、７２は、横フレーム６０が入り込むよう形成されている。よって、フレームキャップ７０をパーテーション連結箇所での接合済み第１縦フレーム２０と第２縦フレーム４０にその上端から装着すると、横並びのパーテーションにおける接合済み第１縦フレーム２０と第２縦フレーム４０とは、両フレームの当接・接合状態を維持したまま、フレームキャップ７０により取り囲まれる。
【００３５】
図９は安全柵１００の直交連結箇所を含んでパーテーション１０の第１縦フレーム２０と第２縦フレーム４０の関係を断面視して示す説明図、図１０は直交連結箇所に用いるフレームキャップ７０Ｃの概略斜視図である。既述したように、第１縦フレーム２０における側面開口凹条３０の開口幅は、縦フレーム当接座２２の開口凹条２３と同一であることから、図示するように、パーテーション直交連結箇所では、パーテーション１０は、その有する第２縦フレーム４０の縦方向凸条４２を、直交相手となるパーテーション１０の第１縦フレーム２０における横フレーム当接座２１と縦フレーム当接座２２の連結箇所の側面凹条３２（詳しくは側面開口凹条３０）に入り込ませる。その上で、パーテーション１０は、第２縦フレーム４０の横フレーム当接座４１を、凸条基部４２ａの側の当接座面４３にて横フレーム当接座２１と縦フレーム当接座２２の側面に当接させている。この場合、横フレーム当接座２１の端部側の当接座面４３を広くすれば、この当接座面４３をも横フレーム当接座２１と縦フレーム当接座２２の側面に当接させることができ、両縦フレームの当接状態が安定する。
【００３６】
そして、この直交箇所では、図１０のフレームキャップ７０Ｃが装着され、このフレームキャップ７０Ｃは、切欠７１、７２直交する位置に備え、内周壁で形成される凹所形状を上記した当接状態にある第１縦フレーム２０と第２縦フレーム４０とがその外周壁の繋がりで形成する方形形状に倣った形状としている。よって、パーテーション１０の直交連結箇所においても、直交状態で接合済み第１縦フレーム２０と第２縦フレーム４０とは、両フレームの当接・接合状態を維持したまま、直交箇所用のフレームキャップ７０Ｃにより取り囲まれる。
【００３７】
次に、横並びのパーテーション１０を取り外したりその逆に横並びに並べる際の手順について説明する。図１１は連結状態から連結解除の状態に推移する様子とその逆の様子を説明するための説明図である。
【００３８】
既述したように、第２縦フレーム４０の縦方向凸条４２は、パーテーション連結状態において第１縦フレーム２０の開口凹条２３に入り込んでいる。しかしながら、縦方向凸条４２は、その凸条基部４２ａを約１ｍｍのクリアランスを持って開口凹条２３に入り込ませ、凸条基部４２ａの凸の程度も開口凹条２３の厚みより小さくすると共に、凸条基部４２ａとエンド部４２ｃに挟まれた狭小陥没部４２ｂにて外周壁を陥没させている。このようにしたことから、図１１（Ａ）に示す横並びの連結状態にあるパーテーション１０をドアスイングさせて他方のパーテーション１０に対して斜めにして、連結を解除したり、他方のパーテーション１０に対して斜めに配置してドアスイングすることで、横並びの連結状態とすることができる。この様子を順を追って説明する。
【００３９】
図１１（Ａ）に示す横並びの連結状態にあるパーテーション１０を、フリーとなっている第１縦フレーム２０を図における下方側に傾ける。そうすると、パーテーション１０は、図における第２縦フレーム４０の下端側の当接座面４３のエッジ４３Ｇを起点としてドアスイングする（図１１（Ｂ）参照）。このドアスイングは、開口凹条２３と凸条基部４２ａとの間にクリアランスがあることで起きる。そして、既述したように凸条基部４２ａの凸程度が開口凹条２３の厚みより小さいこと、および狭小陥没部４２ｂにて外周壁が陥没していることから、パーテーション１０は、開口凹条２３の開口側面や開口下端エッジと縦方向凸条４２の外周壁（陥没外周壁）との干渉を起こすことなくドアスイングする。その後、開口凹条２３の開口下端エッジはエンド部４２ｃと干渉するが、この状態では、ドアスイングしたパーテーション１０は、図における下方側に若干ずれながら更にドアスイング可能である。このため、図１１（Ｃ）に示すように、エンド部４２ｃが開口凹条２３を抜け出るまでドアスイングして、それまで横並び連結されていたパーテーション１０から取り外すことができる。つまり、図１１における左側のパーテーション１０は、図における右側のパーテーション１０が有する第１縦フレーム２０の縦フレーム当接座２２に第２縦フレーム４０の横フレーム当接座４１背面の当接座面４３を当接させ、しかも、図中右側のパーテーション１０の第１縦フレーム２０の開口凹条２３に縦方向凸条４２を入り込ませた状態から、当接座面４３のエッジ４３Ｇを起点にドアスイングして、右側のパーテーション１０から取り外される。右側のパーテーション１０に左側のパーテーション１０を横並び連結するには、この逆となる。
【００４０】
次に、第１縦フレーム２０がその側面有する側面凹条３２を用いた脚１２等の固定の様子について説明する。図１２はＴ溝ナットＴＮとナットホルダ８０とを概略的に斜視にて示す説明図、図１３はナットホルダ８０を平面視・正面視・側面視しつつＴ溝ナットＴＮや側面凹条３２との関係を示す説明図である。
【００４１】
Ｔ溝ナットＴＮは、図６に示すように、横並び連結箇所の第１縦フレーム２０における側面凹条３２に挿入して用いられ、ボルトＢの螺合を受けて、フレームキャップ７０や脚１２を第１縦フレーム２０に固定する。フレームキャップ７０は、図６に示す第１縦フレーム２０の一方側面側、もしくは両側面にて、ボルトＢと側面凹条３２に挿入済みのＴ溝ナットＴＮで第１縦フレーム２０に締め付け固定される。Ｌ字状の脚１２は、一片側端部の切欠１２ａと基部側のボルト貫通孔１２ｂの一方、もしくは両方で、ボルトＢと側面凹条３２に挿入済みのＴ溝ナットＴＮで第１縦フレーム２０に締め付け固定される。なお、脚１２は、こうして第１縦フレーム２０に締め付け固定された後、アンカーボルト孔１２ｃに打ち込まれる図示しないアンカーボルトにて、床面に固定される。
【００４２】
上記したようにフレームキャップ７０や脚１２をボルトＢにて固定する場合、側面凹条３２に挿入されたＴ溝ナットＴＮはボルトＢの装着箇所の付近において側面凹条３２の内部に留まっていることが締め付け作業の簡便化の観点から望ましい。よって、図１２に示すように、Ｔ溝ナットＴＮをナットホルダ８０に組み込んだ状態とし、このナットホルダ８０により、フレームキャップ７０における貫通孔７３（図８参照）の近傍と、脚１２の切欠１２ａやボルト貫通孔１２ｂの近傍にＴ溝ナットＴＮを保持することとした。
【００４３】
ナット保持を図るためのナットホルダ８０は、薄肉のバネ鋼板から形成され、ナット台座８１をその両端の傾斜部８２にて支え、両端の端部平板部８３には、溝内腕部８４を対向させて備える。溝内腕部８４は、その先端を屈曲したフック部８４ａとし、このフック部８４ａまでを湾曲した湾曲腕８４ｂとする。そして、対向する溝内腕部８４は、向かい合うフック部８４ａの幅が側面凹条３２における側面開口凹条３０の開口幅より広くなるよう、フック部８４ａを湾曲腕８４ｂで支えると共に、湾曲腕８４ｂについては側面凹条３２の有底部３１に収まるよう湾曲させている。この場合、溝内腕部８４は、図１２に二点鎖線で示すように、端部平板部８３に連続した状態でフック部８４ａと湾曲腕８４ｂの形状に予め賦形され、その上で、この賦形済みの溝内腕部８４を内側に９０度回転させながら折り曲げて立設することで、形成される。
【００４４】
このナットホルダ８０は、図１３の側面視図に示すように、ナット台座８１にてＴ溝ナットＴＮを側面開口凹条３０の側に押し上げるようにして保持する。その上で、ナットホルダ８０は、側面凹条３２における側面開口凹条３０の開口側面へのフック部８４ａの係合と、側面凹条３２の底部たる連結板部２５への端部平板部８３の底面の接触と、連結板部２５の側への湾曲腕８４ｂによる端部平板部８３の押し付けとにより、側面凹条３２の任意位置にＴ溝ナットＴＮと共に留まる。このＴ溝ナットＴＮにボルトＢを螺合すると、ボルトＢはＴ溝ナットＴＮを貫通するよう締め込まれ、この際には、ナット台座８１がボルト先端で押されて撓むことになる。つまり、ナット台座８１の撓みに相当するボルト締め代が確保されるので、既述したフレームキャップ７０や脚１２の固定は確実になされる。図１４は第１縦フレーム２０への脚１２の固定のためのＴ溝ナットＴＮＬとナットホルダ８０Ａとを概略的に斜視にて示す説明図である。図示するように、Ｔ溝ナットＴＮＬは、脚１２が有する切欠１２ａとボルト貫通孔１２ｂの隔たりに合わせて二つの雌ネジ穴を備え、ナットホルダ８０Ａは、２箇所のナット台座８１を傾斜部８２により端部平板部８３と中間平板部８５に対して支える。このナットホルダ８０Ａを用いれば、切欠１２ａとボルト貫通孔１２ｂの２箇所で脚１２を第１縦フレーム２０に固定する場合、一つのＴ溝ナットＴＮＬをそのナットホルダ８０Ａにて側面凹条３２に配置すればよいことから簡便となる。
【００４５】
以上説明した本実施例のパーテーション１０では、複数個を横並び連結して安全柵１００とするに当たり、個々のパーテーション１０において、上部パネル１１Ｕと下部パネル１１Ｄの両端の第１縦フレーム２０と第２縦フレーム４０の両縦フレームと、この両縦フレームの間に掛け渡して固定された三つの横フレーム６０とで、図２〜図５に示すように上記両パネルをそれぞれ縦横で取り囲む。この場合、両パネルの両端では、それぞれのパネルは両縦フレームが有する横フレーム当接座２１のパネル挿入凹条２１ａと横フレーム当接座４１のパネル挿入凹条４１ａに挿入された上で、両横フレーム当接座で取り囲まれる。
【００４６】
横並びとされた二つのパーテーション１０では、一方のパーテーション１０の第１縦フレーム２０と、他方のパーテーション１０の第２縦フレーム４０が並ぶよう接合される。この際、図７に示すように、他方のパーテーション１０は、その第２縦フレーム４０が有する横フレーム当接座４１の背面の当接座面４３を、一方のパーテーション１０の第１縦フレーム２０が有する縦フレーム当接座２２に当接させる。また、この他方のパーテーション１０は、その第２縦フレーム４０が有する縦方向凸条４２を、一方のパーテーション１０の第１縦フレーム２０が縦フレーム当接座２２に有する開口凹条２３に入り込ませる。
【００４７】
こうして横並びとされた両パーテーション１０は、それぞれの第１縦フレーム２０と第２縦フレーム４０とを接合させた上で、縦フレーム上端においては、図６〜図７に示すように、フレームキャップ７０により、一方のパーテーション１０の第１縦フレーム２０における縦フレーム当接座２２に他方のパーテーション１０の第２縦フレーム４０の横フレーム当接座４１を当接した状態で、両パーテーションの両縦フレームとが取り囲まれる。このため、本実施例のパーテーション１０によれば、横並びにする両パーテーションのそれぞれの上記縦フレームの当接と開口凹条２３への縦方向凸条４２の入り込みとフレームキャップ７０の装着とを経るだけで、容易にパーテーション１０を横並びに連結できる。この結果、図１に示した安全柵１００のように、パーテーション１０の枚数が増えても、容易に複数のパーテーション１０を横並びに連結することができる。
【００４８】
また、本実施例のパーテーション１０では、第２縦フレーム４０が有する縦方向凸条４２において、その凸条基部４２ａを開口凹条２３にたいして所定のクリアランスを持って挿入できその凸の程度も開口凹条２３の厚みより低くし、凸条基部４２ａに続いては外周壁を陥没させる狭小陥没部４２ｂを設けた。よって、図１１を用いて説明したように、横並びして上記したように連結された状態の両パーテーション１０の一方のパーテーション１０を、その第２縦フレーム４０における横フレーム当接座４１の当接座面４３のエッジ４３Ｇを起点にドアスイングすることで、一方のパーテーション１０の第２縦フレーム４０の縦方向凸条４２を他方のパーテーション１０の開口凹条２３から抜け出るようにした。この結果、横並びに一旦並べた両パーテーションの一方のパーテーション１０をドアスイングさせれば、両パーテーションを容易に分離でき、作業性が高まる。この逆に、一方のパーテーション１０に対して他方のパーテーション１０を斜めにしておき、この斜めのパーテーション１０をその有する横フレーム当接座４１の当接座面４３のエッジ４３Ｇを起点にドアスイングすれば、他方のパーテーション１０を一方のパーテーション１０に容易に横並びとできると共に、両パーテーション１０の縦フレーム同士の当接・接合および開口凹条２３への縦方向凸条４２の入り込みを起こして、両パーテーション１０を容易に横並び連結できるので、作業性が高まる。
【００４９】
また、本実施例のパーテーション１０では、第１縦フレーム２０においては、その有する横フレーム当接座２１と縦フレーム当接座２２との連結箇所のフレーム側面に、Ｔ溝仕様の側面凹条３２を設けた。そして、この側面凹条３２にＴ溝ナットＴＮ、ＴＮＬをナットホルダ８０、８０Ａにて保持して、第１縦フレーム２０のフレーム下端側において、Ｌ字状の脚１２を固定した。よって、本実施例のパーテーション１０は、この脚１２により自立するので、複数のパーテーション１０を横並びとした安全柵１００においても、それぞれのパーテーション１０の自立により、安定して自立する。
【００５０】
更に、本実施例では、Ｔ溝仕様の側面凹条３２を、その側面開口凹条３０において開口凹条２３と同じ開口幅としたので、この側面凹条３２に第２縦フレーム４０の縦方向凸条４２を入り込ませることができる。よって、図９に示したように、横並びさせるパーテーション１０と全く同じ構成のまま、あるパーテーション１０の第１縦フレーム２０において、パーテーション１０を容易に直交連結できる。このため、図１に示すようなＬ字状の安全柵１００を同一の構成のパーテーション１０により容易に形成でき、安全柵１００としての平面軌跡の自由度が高まり、安全策としての汎用性も高まる。
【００５１】
以上、本発明の実施の形態を実施例にて説明したが、本発明は上記した実施例や変形例の実施形態に限られるものではなく、その要旨を逸脱しない範囲において種々の態様にて実施することが可能である。例えば、上記の実施例では、パーテーション１０を直交に連結する場合、横並びに連結するパーテーション１０と同一のものとしたが、直交連結用のパーテーション１０Ｃとすることもできる。図１５は直交連結用のパーテーション１０Ｃとパーテーション１０との連結の様子を斜視にて示す説明図、図１６はパーテーション直交連結箇所を含んでパーテーション１０の第１縦フレーム２０と直交連結用のパーテーション１０Ｃの第２縦フレーム４０Ｃの関係を断面視して示す説明図である。
【００５２】
パーテーション１０Ｃは、その有する第２縦フレーム４０Ｃにおいて、横フレーム当接座４１の端部形状がパーテーション１０の第２縦フレーム４０と相違し、縦方向凸条４２と凸条基部４２ａの側の当接座面４３、およびパネル挿入凹条４１ａについては、その形状はパーテーション１０の第２縦フレーム４０と同一である。つまり、図示するように、第２縦フレーム４０Ｃは、横フレーム当接座４１の端部背面を傾斜した端部当接座面４４とし、この端部当接座面４４を、横フレーム当接座２１のコーナ部斜面２１ｓと縦フレーム当接座２２のコーナ部斜面２２ｓに当接させる。この場合、端部当接座面４４がこれら斜面に当接した状態では、パーテーション１０Ｃは、その第２縦フレーム４０Ｃの当接座面４３を横フレーム当接座２１および縦フレーム当接座２２の側面にも当接させた上で、縦方向凸条４２を側面開口凹条３０に入り込ませている。そして、この状態で、フレームキャップ７０Ｃにより第１縦フレーム２０と第２縦フレーム４０とは両パーテーションが直交した状態で取り囲まれる。
【００５３】
このようにしてパーテーション１０に対してパーテーション１０Ｃを直交連結した場合、パーテーション１０Ｃは、端部当接座面４４のエッジ４４Ｇを基点にドアスイング可能とされている。つまり、横並びのパーテーション１０が第２縦フレーム４０における当接座面４３のエッジ４３Ｇを起点としてドアスイングする場合と同じように、このパーテーション１０Ｃにあっても、凸条基部４２ａの凸程度や狭小陥没部４２ｂによる外周壁陥没等の関係から、直交連結されていたパーテーション１０Ｃのドアスイングを経た取り外し、或いは、ドアスイングを経た直交連結が可能となる。
【００５４】
また、第１縦フレーム２０や第２縦フレーム４０および横フレーム６０をアルミの型押出成型品としたが、樹脂の型押出成型品としたりすることもできる。
【００５５】
この他、本実施例では、第１縦フレーム２０の側面と床面に接するＬ字状の脚１２を用いたが、第１縦フレーム２０下端を取り囲むボックス型の脚とすることもできる。
【図面の簡単な説明】
【００５６】
【図１】本発明の実施例としてのパーテーションを複数用いて構成した安全柵１００の概略斜視図である。
【図２】実施例のパーテーション１０を分解して示す説明図である。
【図３】図２における３−３線での縦断面図である。
【図４】図２における４−４線での横断面図である。
【図５】図２における５−５線での横断面図である。
【図６】安全柵１００を構成するパーテーション１０の横並び連結箇所をその上部と下部について斜視にて示す説明図である。
【図７】横並び連結状態におけるパーテーション１０の第１縦フレーム２０と第２縦フレーム４０の関係を断面視して示す説明図である。
【図８】フレームキャップ７０の概略斜視図である。
【図９】安全柵１００の直交連結箇所を含んでパーテーション１０の第１縦フレーム２０と第２縦フレーム４０の関係を断面視して示す説明図である。
【図１０】直交連結箇所に用いるフレームキャップ７０Ｃの概略斜視図である。
【図１１】連結状態から連結解除の状態に推移する様子とその逆の様子を説明するための説明図である。
【図１２】Ｔ溝ナットＴＮとナットホルダ８０とを概略的に斜視にて示す説明図である。
【図１３】ナットホルダ８０を平面視・正面視・側面視しつつＴ溝ナットＴＮや側面凹条３２との関係を示す説明図である。
【図１４】第１縦フレーム２０への脚１２の固定のためのＴ溝ナットＴＮＬとナットホルダ８０Ａとを概略的に斜視にて示す説明図である。
【図１５】直交連結用のパーテーション１０Ｃとパーテーション１０との連結の様子を斜視にて示す説明図である。
【図１６】パーテーション直交連結箇所を含んでパーテーション１０の第１縦フレーム２０と直交連結用のパーテーション１０Ｃの第２縦フレーム４０Ｃの関係を断面視して示す説明図である。
【符号の説明】
【００５７】
１０、１０Ｃ…パーテーション
１１Ｄ…下部パネル
１１Ｕ…上部パネル
１２…脚
１２ａ…切欠
１２ｂ…ボルト貫通孔
１２ｃ…アンカーボルト孔
２０…第１縦フレーム
２１…横フレーム当接座
２１ａ…パネル挿入凹条
２１ｂ…横フレーム当接凹条
２１ｓ…コーナ部斜面
２２…縦フレーム当接座
２２ｓ…コーナ部斜面
２３…開口凹条
２４…有底部
２５…連結板部
３０…側面開口凹条
３１…有底部
３２…側面凹条
４０、４０Ｃ…第２縦フレーム
４１…横フレーム当接座
４１ａ…パネル挿入凹条
４１ｂ…横フレーム当接凹条
４２…縦方向凸条
４２ａ…凸条基部
４２ｂ…狭小陥没部
４２ｃ…エンド部
４３…当接座面
４３Ｇ…エッジ
４４…端部当接座面
４４Ｇ…エッジ
６０…横フレーム
６１…側壁材
６２…コア部
６３…ブリッジ
６４…スリット
６５…雌ネジ
７０、７０Ｃ…フレームキャップ
７１…切欠
７３…貫通孔
８０、８０Ａ…ナットホルダ
８１…ナット台座
８２…傾斜部
８３…端部平板部
８４…溝内腕部
８４ａ…フック部
８４ｂ…湾曲腕
８５…中間平板部
１００…安全柵
Ｓ…雄ネジ
Ｂ…ボルト
【要約】
【課題】パーテーションの横並び連結の簡略化を図る。
【解決手段】横並びとされた二つのパーテーション１０では、一方のパーテーション１０の第１縦フレーム２０と、他方のパーテーション１０の第２縦フレーム４０が並ぶよう接合される。この際、他方のパーテーション１０は、その第２縦フレーム４０が有する横フレーム当接座４１の背面の当接座面４３を、一方のパーテーション１０の第１縦フレーム２０が有する縦フレーム当接座２２に当接させる。また、この他方のパーテーション１０は、その第２縦フレーム４０が有する縦方向凸条４２を、一方のパーテーション１０の第１縦フレーム２０が縦フレーム当接座２２に有する開口凹条２３に入り込ませる。この状態で、縦フレーム上端においてフレームキャップ７０により取り囲まれる。
【選択図】図７【図１】
0004291869.tif 000002
【図２】
0004291869.tif 000003
【図３】
0004291869.tif 000004
【図４】
0004291869.tif 000005
【図５】
0004291869.tif 000006
【図６】
0004291869.tif 000007
【図７】
0004291869.tif 000008
【図８】
0004291869.tif 000009
【図９】
0004291869.tif 000010
【図１０】
0004291869.tif 000011
【図１１】
0004291869.tif 000012
【図１２】
0004291869.tif 000013
【図１３】
0004291869.tif 000014
【図１４】
0004291869.tif 000015
【図１５】
0004291869.tif 000016
【図１６】
0004291869.tif 000017